(57)【要約】      （修正有）【課題】独居者等の生活状態の異常を早期に監視連絡できると共に、機器の構造が簡単で、機器自体の価格が安く、取付工事が容易で多額の工事費のかからぬ極めて実用的な監視警備連絡システムを提供する。【解決手段】監視警備連絡システムは、援助コントローラ１と、監知センサ２と、自動通報システムにより構成されている。自動通報システムは、ＰＤＡ、スマートホーン又は携帯電話等に接続されており、数か所の通報先に条件が揃うと、自動的に通報される機能が搭載されている。【選択図】図１
2017016609.tif 000002
【特許請求の範囲】
【請求項１】
独居者等Ａ（ここに独居者、及び独居でなくとも認知症者、要介護者、障碍者、病人、及び幼児・子供等の保護監視が必要な者を含めて独居者等Ａと以下言う）の居室には、援助コントローラが設置されており、又、居室及びその他の空間には、監視センサが設けられており、
援助コントローラには、ＰＤＡ及び／又はスマートホーン・携帯電話、及び／又は固定電話、及び／又はパソコン、及び／又はタブレットが接続されており、
シーケンサ装置を介して、モード切替スイッチに連結されており、該モード切替スイッチにより在宅モード７ａ、及び／又はお出かけモード７ｂ、及び／又は行動管理モード７ｃとに切り替えられ、
在宅モード７ａ、及び／又は、お出かけモード７ｂ、及び／又は行動管理モード７ｃのいずれにおいても、条件が揃うと、次に自動通報システムに連結され、自動通報システムは、単数または複数の通報先に、自動的に通報される機能が搭載されていることを特徴とする独居者等Ａの監視警備連絡装置。
【請求項２】
前記感知センサは、人間の動きにより感知する人感センサ２ａ、及び／又は光センサ２ｂ、及び／又は赤外線センサ２ｃ、及び／又は加速度計センサ２、及び／又は可視光通信機能を有する灯具等である冷陰極管（以下ＣＣＦＬという）、及び／又は可視光通信機能を有するＬＥＤ、及び／又は可視光通信機能を有する有機ＥＬ、及び／又は可視光通信機能を有する無機ＥＬ、及び／又は可視光通信と組合せた画像等のイメージセンサー、及び／又はレーザーセンサ、及び／又はレーダセンサ、及び／又は別に設置された感知センサ２７、及び／又は火災警報器２ｅ、及び／又は煙感知器２ｆ、及び／又はＩＧＲ等の漏電ブレーカ２ｇの信号、及び／又は床マットセンサ２ｈ、及び／又はドア開閉センサ２ｉなどの監視センサ、及び／又は人工衛星を活用したＧＰＳ位置確認信号、及び／又はこれらの何れかの組み合わせである感知センサを設けたことを特徴とする特許請求項１記載の独居者等Ａの監視警備連絡装置。
【請求項３】
援助コントローラの形式は種々の型式があり、フレーム型、人形・ロボット型、車等に搭載し移動できるカーナビ型、ノートパソコン型、タブレット型、スマートホーン・携帯電話型、ＰＤＡ型等種々の型式が用いられ、
例えば援助コントローラのフレーム型の構成は、中央に液晶モニタが設けられており、該液晶モニタには、フォトフレームとして、映像が表示されており
又、動画通信の場合は、動画が表示され、又テレビ電話として使用するときは、相手方の連絡先、相手の顔等が表示され、その他、インターネット通信により、必要な情報を表示することができ又、最も簡素な構成として、映像でなく通常の写真・絵画で写真立ての代わりに用いても良く、
また、援助コントローラには、ナースコールボタンが連結されており、又マイク、及び／又はスピーカ、及び／又はブザー、及び／又はランプ、及び／又は動画カメラも内蔵等により構成、設置されているおり、
もちろんこれらのマイク、及び／又はスピーカ、及び／又はブザー、及び／又はランプ、及び／又は動画カメラは、室内に別個に設置されてもよく、又、スピーカは、援助コントローラの他、ＰＤＡ及び／又はスマートホーン・携帯電話、及び／又は固定電話、及び／又はパソコン、及び／又はタブレットの内蔵スピーカでもよく、
又、援助コントローラには充電式バッテリが内蔵されているため、停電時においても機能が停止されない援助コントローラであることを特徴とする特許請求項１、又は請求項２記載の独居者等Ａの監視警備連絡装置。
【請求項４】
切替モードは、切替スイッチが、在宅モード７ａに切り替えられると、屋内監視システムとなり、
監視センサからの信号、及び／又は動画カメラからの信号は、シーケンサ装置により、設定時間内に独居者等Ａの動きが感知されると、リセットとなり、再度、カウントが開始され、
設定時間は、シーケンサ装置に設けられた調整器により、簡単にセットでき、設定時間内に、動きが感知されない時は、まず独居者等Ａにスピーカにより警報が発せられ、又、耳の不自由な人には、ランプのあらかじめ決めた光の点滅で知らせることができ、それに気付き、動きがあった時又は、ナースコールボタンで解除が押された時は、リセットされ、
もし、それらの信号がない場合は、まず異常状態と判断し、自動通報システムに異常信号が伝達され、
又独居者等Ａが、マイクで異常状態の通報を意味するボイスパターン、例えば「助けて！」「ヘルプヘルプ！」等を発信した時も同様に、異常状態と判断し、
シーケンサ装置より、異常信号が自動通報システムに発信され、自動通報システムより独居者等ＡのＰＤＡ及び／又はスマートホーン・携帯電話１０、及び／又は固定電話、及び／又はパソコン、及び／又はタブレットに伝達されると共に、自動通報システム内のオートダイヤラー機能により、異常通報通信が自動発信され、単数又は複数の通報先に通報され、
切替スイッチ７が、お出かけモード７ｂに切替えられると屋内警備監視システムとなり、
自宅内の監視センサからの信号、及び／又は動画カメラからの信号は、シーケンサ装置により、設定時間内に侵入者Ｃの動きが感知されると、異常信号が自動通報システムに発信され、自動通報システムよりブザーより警報が発せられ、独居者等ＡのＰＤＡ及び／又はスマートホーン・携帯電話、及び／又は固定電話、及び／又はパソコン、及び／又はタブレットに伝達されると共に、自動通報システム９内のオートダイヤラー機能により、異常通報通信が自動発信され、単数又は複数の通報先に通報され、
設定時間内に、動きが感知されない時は、侵入者Ｃがいないと判断され、一定時間にリセットされ、それが繰り返され、
次に、行動管理モードを選択すると行動管理機能が、作動し、
監視センサは、移動する室内の各所に配置されており、それらの信号が伝達され生活による移動パターンを記録する情報記憶装置３ａが、援助コントローラ内に収納され、シーケンサ装置３と連結されており、
各個人の室内外での標準行動パターンと、その都度記録された行動パターンが、定期的に比較分析し、判断回路より異常が診断されない時は、定期的にリセットされ、又、援助コントローラ、又はコントローラ台座２１から人形型・ロボット型ユニット２２、又は  腕時計型ユニット２３、又はペンダント型ユニット２４、又は寝具マット型ユニット２５が一定の距離離れると、異常状態と診断される場合や、
ＧＰＳ信号により、通常と異なる位置が感知されると、前述の異常信号が自動通報システム９に発信され、自動通報システムよりブザーより警報が発せられ、独居者等ＡのＰＤＡ及び／又はスマートホーン・携帯電話、及び／又は固定電話、及び／又はパソコン、及び／又はタブレットに伝達されると共に、自動通報システム内のオートダイヤラー機能により、異常通報通信が自動発信され、単数又は複数の通報先に通報される切替モードを有することを特徴とする特許請求項１、又は請求項２、又は請求項３記載の独居者等Ａの監視警備連絡装置。
【請求項５】
在宅モード７ａと、お出かけモード７ｂと、行動管理モード７ｃとのいずれにおいても、電話回線でなく、インターネット回線を介して、単数又は複数の通報先のパソコン、及び／又はタブレット、及び／又はＰＤＡ、及び／又はスマートホーン・携帯電話、及び／又は固定電話に自動通報させることもでき、
ＰＤＡ、及び／又はスマートホーン・携帯電話に設けられた動画カメラ、及び／又は援助コントローラに設けられた動画カメラ、又は室内のいずれかの位置に設置された動画カメラより動画通信を自動送信し、異常通報通信とすることもでき、
このときに、独居者等Ａと、通報先との双方向通信で、テレビ電話として異常通報通信とすることもできることを特徴とする特許請求項１、又は請求項２、又は請求項３、又は請求項４記載の独居者等Ａの監視警備連絡装置。
【請求項６】
援助コントローラは、ＰＤＡ、及び／又はスマートホーン・携帯電話、及び／又は固定電話、及び／又はパソコン、及び／又はタブレットの結線を接続するだけで、監視警備連絡装置が構成でき、又、援助コントローラ１に、ＣＩＭカードを差し込むだけで構成することが出来ることを特徴とする特許請求項１、又は特許請求項２、又は請求項３、又は請求項４、又は請求項５記載の独居者等Ａの監視警備連絡装置。
【請求項７】
援助コントローラの型式が人形型・ロボット型ユニットであり、コントローラ台座２１と、人形型・ロボット型センサユニット２２により構成されており、
コントローラ台座２１は、前記のすべての監視センサ、及び前記援助コントローラ内臓の機器等を設けても良く、加えて充電機能を有しており、
人形型・ロボット型センサユニット２２は、抱き式の形態となっており、通常は、コントローラ台座２１の上に置かれ、接触式、または非接触式の連結が保たれ、充電が為され、
又、人形型・ロボット型センサユニット２２は、コントローラ台座２１に有するナースコールボタンや、リモコン端末、又マイク、及び／又はスピーカ、及び／又はブザー、及び／又はランプ、及び／又は動画カメラも必要に応じ、内蔵等により構成、設置されており、
人形型・ロボット型センサユニット２２は、人形型、又はペット型、またはロボット型の意匠が用いられ、独居者等Ａが、抱っこ出来る形態となっており、
人形型・ロボット型センサユニット２２には、学習機能のある人工知能回路（ＡＩ）が搭載されており、対話でき、学習機能により独居者等Ａと対話し、安らぎを与えられるよう構成されていることを特徴とする特許請求項１、又は請求項２、又は請求項３、又は請求項４、又は請求項５、又は請求項６記載の独居者等Ａの監視警備連絡装置。
【請求項８】
監視センサは、人形型・ロボット型センサユニット２２のほかにウェアラブル端末と言われる腕時計型２３、ペンダント型２４、寝具マット型２５等の型式で、健康情報センサとしての機能も有しており、人体に触れることで、例えば、脈拍、血圧、体温、呼吸数、血中酸素濃度、心電図等の健康情報センサの機能を有しており、独居者等Ａの体調に異常値が検知された時は、援助コントローラに信号を発し、警報システムに連動され、
これらのセンサユニットはＩＤ番号を付与することにより、どの独居者等Ａからの信号かを判別することにより、何人もの位置確認や情報確認が選択できることを特徴とする特許請求項１、又は請求項２、又は請求項３、又は請求項４、又は請求項５、又は請求項６、又は請求項７記載の独居者等Ａの監視警備連絡装置。
【発明の詳細な説明】
【技術分野】
【０００１】  本発明は、高齢者や子供や、要介護者等の高齢者等の独居者等Ａの監視警備連絡装置に関する。
【背景技術】
【０００２】  最近、特に平成２２年以降には、高齢の独居者等Ａ（ここに独居者、及び独居でなくとも認知症者、要介護者、障碍者、病人、及び幼児・子供等の保護監視が必要な者を含めて独居者等Ａと以下言う）の状態確認の不十分に起因する介護の遅れや生死の確認漏れ等の事件が続発している。
そのため独居者等Ａの生活状態の異常を早期に監視・連絡でき、又外出時の警備のできる監視警備連絡装置が望まれていた。【０００３】  我が国において６５歳以上の高齢者の人口に占める割合は、今後４０年の間に３０％を超えると言われている。
そのための要介護者の対策が、政府をはじめ自治体で検討され、一部対策を模索しているが、未だに十分な効果を発揮しえていない。
又、独居者等Ａは、空間的にも人間関係上も孤立している例が多く、健常者であっても、監視警備連絡を必要とするケースが放置されたままとなっているのが実情である。
そのため家庭用電気製品にセンサを設けて電気ポットの使用状況や生活必要品の使用状況から、安否を監視するシステムや、警備会社の高度な監視システム等が提案されてきたが、いずれも大掛かりで、設置工事が、複雑で時間がかかり、高額な設置費を必要としていた。
加えて急速な高齢化社会となり、その対象者の数が膨大であるため、経済的にも限界があり、課題の解決には、至っていなかった。加えて急速に進んだ女性の社会進出に対し、保育園幼稚園の待機児童の増大が問題となっており、保育教員の不足が叫ばれ児童の監視に手が回らないという実情が報告されている。
【発明の概要】
【発明が解決しようとする課題】
【０００４】  本発明は、これらの問題を解消するための現実的手段を開発したものである。機器の構造が簡単なため、機器自体の価格が安く、又取付工事が容易なため多額の工事費のかからぬ極めて実用的な監視警備連絡システムを提供するものである。
【課題を解決するための手段】
【０００５】  独居者等Ａ（ここに独居者、及び独居でなくとも認知症者、要介護者、障碍者、病人、及び幼児・子供等の保護監視が必要な者を含めて独居者等Ａと以下言う）の居室には、援助コントローラが設置されており、又、居室及びその他の空間には、監視センサが設けられており、
援助コントローラには、ＰＤＡ及び／又はスマートホーン・携帯電話、及び／又は固定電話、及び／又はパソコン、及び／又はタブレットが接続されており、
シーケンサ装置を介して、モード切替スイッチに連結されており、該モード切替スイッチにより在宅モード７ａ、及び／又はお出かけモード７ｂ、及び／又は行動管理モード７ｃとに切り替えられ、
在宅モード７ａ、及び／又はお出かけモード７ｂ、及び／又は行動管理モード７ｃのいずれにおいても、条件が揃うと、次に自動通報システムに連結され、自動通報システムは、単数または複数の通報先に、自動的に通報される機能が搭載されていることを特徴とする独居者等Ａの監視警備連絡装置を提供する。【０００６】  前記感知センサは、人間の動きにより感知する人感センサ２ａ、及び／又は光センサ２ｂ、及び／又は赤外線センサ２ｃ、及び／又は加速度計センサ２、及び／又は可視光通信機能を有する灯具等である冷陰極管（以下ＣＣＦＬという）、及び／又は可視光通信機能を有するＬＥＤ、及び／又は可視光通信機能を有する有機ＥＬ、及び／又は可視光通信機能を有する無機ＥＬ、及び／又は可視光通信と組合せた画像等のイメージセンサー、及び／又はレーザーセンサ、及び／又はレーダセンサ、及び／又は別に設置された感知センサ２７、及び／又は火災警報器２ｅ、及び／又は煙感知器２ｆ、及び／又はＩＧＲ等の漏電ブレーカ２ｇの信号、及び／又は床マットセンサ２ｈ、及び／又はドア開閉センサ２ｉなどの監視センサ、及び／又は人工衛星を活用したＧＰＳ位置確認信号、及び／又はこれらの何れかの組み合わせである感知センサを設けたことを特徴とする特許請求項１記載の独居者等Ａの監視警備連絡装置を提供する。【０００７】  援助コントローラの形式は種々の型式があり、フレーム型、人形・ロボット型、車等に搭載し移動できるカーナビ型、ノートパソコン型、タブレット型、スマートホーン・携帯電話型、ＰＤＡ型等種々の型式が用いられ、
例えば援助コントローラのフレーム型の構成は、中央に液晶モニタが設けられており、該液晶モニタには、フォトフレームとして、映像が表示されており
又、動画通信の場合は、動画が表示され、又テレビ電話として使用するときは、相手方の連絡先、相手の顔等が表示され、その他、インターネット通信により、必要な情報を表示することができ又、最も簡素な構成として、映像でなく通常の写真・絵画で写真立ての代わりに用いても良く、
また、援助コントローラには、ナースコールボタンが連結されており、又マイク、及び／又はスピーカ、及び／又はブザー、及び／又はランプ、及び／又は動画カメラも内蔵等により構成、設置されているおり、
もちろんこれらのマイク、及び／又はスピーカ、及び／又はブザー、及び／又はランプ、及び／又は動画カメラは、室内に別個に設置されてもよく、又、スピーカは、援助コントローラの他、ＰＤＡ及び／又はスマートホーン・携帯電話、及び／又は固定電話、及び／又はパソコン、及び／又はタブレットの内蔵スピーカでもよく、
又、援助コントローラには充電式バッテリが内蔵されているため、停電時においても機能が停止されない援助コントローラであることを特徴とする特許請求項１、又は請求項２記載の独居者等Ａの監視警備連絡装置を提供する。【０００８】  切替モードは、切替スイッチが、在宅モード７ａに切り替えられると、屋内監視システムとなり、
監視センサからの信号、及び／又は動画カメラからの信号は、シーケンサ装置により、設定時間内に独居者等Ａの動きが感知されると、リセットとなり、再度、カウントが開始され、
設定時間は、シーケンサ装置に設けられた調整器により、簡単にセットでき、設定時間内に、動きが感知されない時は、まず独居者等Ａにスピーカにより警報が発せられ、又、耳の不自由な人には、ランプのあらかじめ決めた光の点滅で知らせることができ、それに気付き、動きがあった時又は、ナースコールボタンで解除が押された時は、リセットされ、
もし、それらの信号がない場合は、まず異常状態と判断し、自動通報システムに異常信号が伝達され、
又独居者等Ａが、マイクで異常状態の通報を意味するボイスパターン、例えば「助けて！」「ヘルプヘルプ！」等を発信した時も同様に、異常状態と判断し、
シーケンサ装置より、異常信号が自動通報システムに発信され、自動通報システムより独居者等ＡのＰＤＡ及び／又はスマートホーン・携帯電話１０、及び／又は固定電話、及び／又はパソコン、及び／又はタブレットに伝達されると共に、自動通報システム内のオートダイヤラー機能により、異常通報通信が自動発信され、単数又は複数の通報先に通報され、
切替スイッチ７がお出かけモード７ｂに切替えられると、屋内警備監視システムとなり、
自宅内の監視センサからの信号、及び／又は動画カメラからの信号は、シーケンサ装置により、設定時間内に侵入者Ｃの動きが感知されると、異常信号が自動通報システムに発信され、自動通報システムよりブザーより警報が発せられ、独居者等ＡのＰＤＡ及び／又はスマートホーン・携帯電話、及び／又は固定電話、及び／又はパソコン、及び／又はタブレットに伝達されると共に、自動通報システム９内のオートダイヤラー機能により、異常通報通信が自動発信され、単数又は複数の通報先に通報され、
設定時間内に、動きが感知されない時は、侵入者Ｃがいないと判断され、一定時間にリセットされ、それが繰り返され、
次に、行動管理モードを選択すると行動管理機能が作動し、
監視センサは、移動する室内の各所に配置されており、それらの信号が伝達され生活による移動パターンを記録する情報記憶装置３ａが、援助コントローラ内に収納され、シーケンサ装置３と連結されており、
各個人の室内外での標準行動パターンと、その都度記録された行動パターンが、定期的に比較分析し、判断回路より異常が診断されない時は、定期的にリセットされ、又、援助コントローラ、又はコントローラ台座２１から人形型・ロボット型ユニット２２、又は  腕時計型ユニット２３、又はペンダント型ユニット２４、又は寝具マット型ユニット２５が一定の距離離れると、異常状態と診断された場合や、
ＧＰＳ信号により、通常と異なる位置が感知されると、前述の異常信号が自動通報システム９に発信され、自動通報システムよりブザーより警報が発せられ、独居者等ＡのＰＤＡ及び／又はスマートホーン・携帯電話、及び／又は固定電話、及び／又はパソコン、及び／又はタブレットに伝達されると共に、自動通報システム内のオートダイヤラー機能により、異常通報通信が自動発信され、単数又は複数の通報先に通報される切替モードを有することを特徴とする特許請求項１、又は請求項２、又は請求項３記載の独居者等Ａの監視警備連絡装置を提供する。【０００９】  在宅モード７ａと、お出かけモード７ｂと、行動管理モード７ｃとのいずれにおいても、電話回線でなく、インターネット回線を介して、単数又は複数の通報先のパソコン、及び／又はタブレット、及び／又はＰＤＡ、及び／又はスマートホーン・携帯電話、及び／又は固定電話に自動通報させることもでき、
ＰＤＡ、及び／又はスマートホーン・携帯電話に設けられた動画カメラ、及び／又は援助コントローラに設けられた動画カメラ、又は室内のいずれかの位置に設置された動画カメラより動画通信を自動送信し、異常通報通信とすることもでき、
このときに、独居者等Ａと、通報先との双方向通信で、テレビ電話として異常通報通信とすることもできることを特徴とする特許請求項１、又は請求項２、又は請求項３、又は請求項４記載の独居者等Ａの監視警備連絡装置を提供する。【００１０】  援助コントローラは、ＰＤＡ、及び／又はスマートホーン・携帯電話、及び／又は固定電話、及び／又はパソコン、及び／又はタブレットの結線を接続するだけで、監視警備連絡装置が構成でき、又、援助コントローラ１に、ＣＩＭカードを差し込むだけで構成することが出来ることを特徴とする特許請求項１、又は特許請求項２、又は請求項３、又は請求項４、又は請求項５記載の独居者等Ａの監視警備連絡装置を提供する。【００１１】  援助コントローラの型式が人形型・ロボット型ユニットであり、コントローラ台座２１と、人形型・ロボット型センサユニット２２により構成されており、
コントローラ台座２１は、前記のすべての監視センサ及び／又は前記援助コントローラ内臓の機器等を設けても良く、加えて充電機能を有しており、人形型・ロボット型センサユニット２２は、抱き式の形態となっており、通常は、コントローラ台座２１の上に置かれ、接触式、または非接触式の連結が保たれ、充電が為され、
又、人形型・ロボット型センサユニット２２は、コントローラ台座２１に有するナースコールボタンや、リモコン端末、又マイク、及び／又はスピーカ、及び／又はブザー、及び／又はランプ、及び／又は動画カメラも必要に応じ、内蔵等により構成、設置されており、
人形型・ロボット型センサユニット２２は、人形型、又はペット型、またはロボット型の意匠が用いられ、独居者等Ａが、抱っこ出来る形態となっている。
人形型・ロボット型センサユニット２２には、学習機能のある人工知能回路（ＡＩ）が搭載されており、対話でき、学習機能により独居者等Ａと対話し、安らぎを与えられるよう構成されていることを特徴とする特許請求項１、又は請求項２、又は請求項３、又は請求項４、又は請求項５、又は請求項６記載の独居者等Ａの監視警備連絡装置を提供する。【００１２】  監視センサは、人形型・ロボット型センサユニット２２のほかにウェアラブル端末と言われる腕時計型２３、ペンダント型２４、寝具マット型２５等の型式で、健康情報センサとしての機能も有しており、人体に触れることで、例えば、脈拍、血圧、体温、呼吸数、血中酸素濃度、心電図等の健康情報センサの機能を有しており、独居者等Ａの体調に異常値が検知された時は、援助コントローラーに信号を発し、警報システムに連動され、
これらのセンサユニットはＩＤ番号を付与することにより、どの独居者等Ａからの信号かを判別することにより、何人もの位置確認や情報確認が選択できることを特徴とする特許請求項１、又は請求項２、又は請求項３、又は請求項４、又は請求項５、又は請求項６、又は請求項７記載の独居者等Ａの監視警備連絡装置を提供する。
【発明の効果】
【００１３】（１）現在大きな問題となっている独居者等Ａの異常を監視し、自動的に連絡することができるので、独居者等Ａの安全、健康等を管理でき、独居者等Ａの問題を解決できる。
（２）監視センサ２は、夫々単独に取付けられ、簡単な配線工事でよく、援助コントローラは、寝室等の主たる居室に、単独で置くことができ、それに、ＰＤＡ、又はスマートホーン・携帯電話の結線を接続するだけで、監視連絡装置が構成でき、又は、ＣＩＭカードを挿入するだけでもよく、機器自体も工事も極めて安価で設置できる極めて実用的な監視連絡装置を提供する。
（３）従来提案されてきた種々の特別な装置や、センサや、システムを複雑に構成した方式でなく、現実的に必要な簡潔な機器構成で、十分目的が達成できることに気付いたものである。
【図面の簡単な説明】
【００１４】
【図１】実施例１の概略配置図である。
【図２】援助コントローラ１の正面図である。
【図３】実施例１のシステム構成図である。
【図４】実施例２の概略配置図である。
【図５】実施例２の援助コントローラ１の正面図である。
【発明を実施するための形態】
【００１５】  本発明は、前述した如く、独居者等Ａの生活状態の異常を早期に監視警備連絡できる装置を提供するもので、従来の大掛かりで、建物の改造等に多くの設置時間がかかり、高額な設置費を必要としていた従来のシステムに対し、設置が容易で、かつ安価な独居者等Ａの監視警備連絡装置を提供するものである。
【００１６】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【００１７】  ［本発明の全体構成の一例］
独居者等Ａ（ここに独居者、及び独居でなくとも認知症者、要介護者、障碍者、病人、及び幼児・子供等の保護監視が必要な者を含めて独居者等Ａと以下言う）の居室には、援助コントローラ１が設置されており、又、居室には、監視センサ２が設けられており、
監視センサ２は、寝室や、トイレ、洗面所、階段、玄関等の隔離された空間、及び／又は床にそれぞれ死角がないように設けられており、
援助コントローラ１は、シーケンサ装置３を介して、モード切替スイッチ７に連結されており、該モード切替スイッチ７により、在宅モード７ａ、及び／又はお出かけモード７ｂと、及び／又は行動管理モード７ｃとに切り替えられ、
在宅モード７ａと、お出かけモード７ｂと、行動管理モード７ｃのいずれにおいても、次に自動通報システム９に連結され、自動通報システム９は、ＰＤＡ及び／又はスマートホーン・携帯電話１０、及び／又は固定電話１０ａ、及び／又はパソコン１１、及び／又はタブレットに接続されており、単数または複数の通報先に異常条件が揃うと、自動的に、電話回線、又は、電子メール回線、又はインターネット回線により通報される機能が搭載されている独居者等Ａの監視警備連絡装置を提供するものである。
【実施例１】
【００１８】  以下、本発明の実施例について、図面を参照しながら説明する。
図１は、本発明の実施例１の独居者等Ａの居室の概略配置図である。
例えば寝室のベッドＢの近傍には、援助コントローラ１が設置されており、リモコン端末１ｂにより起動、及び／又は操作される。又は、援助コントローラ１に設けられた起動スイッチ１ｅから起動される。
又、居室である例えば寝室のベッドＢの近傍には、監視センサ２が設けられている。【００１９】  ［監視センサ２について述べると］
感知センサ２は、人間の動きにより感知する人感センサ２ａや光センサ２ｂや、赤外線センサ２ｃや加速度計センサ２ｄ及び／又は可視光通信機能を有する灯具２６である冷陰極管（以下ＣＣＦＬという）、及び／又はＬＥＤ、及び／又は白熱灯、及び／又は可視光通信機能を有する有機ＥＬ、及び／又は可視光通信機能を有する無機ＥＬ、及び／又は可視光通信と組合せた画像等のイメージセンサー、及び／又はレーザーセンサ、及び／又はレーダセンサ、及び／又はマイクロ波センサ、及び／又は別に設置された感知センサ２７、又は火災警報器２ｅ、又は煙感知器２ｆ、又はＩＧＲ等の漏電ブレーカ２ｇの異常信号、又は床マットセンサ２ｈ、又はドアに設けたドア開閉センサ２ｉなどの監視センサ、及び／又は人工衛星を活用したＧＰＳ位置確認信号、及び／又はこれらの何れかの組み合わせである感知センサ２を設ける。
監視センサ２は、寝室や、トイレ、洗面所、階段、玄関等の隔離された空間、及び／又は床にそれぞれ死角がないように設けられている。【００２０】［監視センサ２から援助コントローラ１への送受信は］
前記の監視センサから、無線、及び／又は有線、及び／又は可視光通信機能を有する灯具等、及び／又はブルートゥース信号、又はＷＩＦＩ信号、又はＰＬＣ（プログラマブル・ロジック・コントローラ）回路（以下ＰＬＣ回路という）による信号等で伝達される。【００２１】  ［ＰＬＣ回路とは］
マイクロコンピュータ（ＣＰＵ：中央演算処理装置）とメモリ（記憶素子）を内蔵したＦＡ用の制御装置である。
装置や操作盤に設置したさまざまな入力機器（センサやスイッチなど）からの入力信号を入力回路で取り込み、あらかじめプログラムされた条件で出力回路をＯＮ／ＯＦＦすることでさまざまな出力機器（電磁弁やモータ、表示灯など）を自由に制御できる。
ＰＬＣ回路は、マイクロコンピュータ（ＣＰＵ：中央演算処理装置）とメモリ（記憶素子）を内蔵したＦＡ用の制御装置であって装置や操作盤に設置したさまざまな入力機器（センサやスイッチなど）からの入力信号を入力回路で取り込み、あらかじめプログラムされた条件で出力回路をＯＮ／ＯＦＦすることでさまざまな出力機器（電磁弁やモータ、表示灯など）を自由に制御できる。以上がＰＬＣ回路の説明である。
又は、人工衛星を活用したＧＰＳ位置確認信号が、最近精度が向上し、種々の機器に設けられた受信センサにより、独居者等Ａの行動が、監視できるよう構成されている。【００２２】  援助コントローラ１の形式は種々の型式があり、フレーム型Ｊ、人形・ロボット型Ｋ、車等に搭載し移動できるカーナビ型Ｌ、ノートパソコン型Ｍ、タブレット型Ｎ、スマートホーン・携帯電話型Ｐ、ＰＤＡ型Ｑ等種々の型式が用いられる。【００２３】  図２は、援助コントローラ１のフレーム型Ｊでの構成の一実施例を示すものである。
この構成においては、中央に液晶モニタ１ａが設けられており、該液晶モニタ１ａには、フォトフレームとして、映像が壁紙、又はスクリーンセーバとして表示されている。
又、動画通信の場合は、動画が表示され、又テレビ電話として使用するときは、相手方の連絡先、相手の顔等が表示される。その他、インターネット通信により、必要な情報、を表示することができる。液晶モニタ１ａの代わりに、有機ＥＬ又は、無機ＥＬを用いても良い。
最も簡素な構成として、映像でなく通常の写真・絵画１ｐで写真立ての代わりに用いても良い。【００２４】  また、援助コントローラ１には、ナースコールボタン１ｄが連結されており、又マイク４、及び／又はスピーカ５、及び／又はブザー５ａ、及び／又はランプ６、及び／又は動画カメラ１５も内蔵等により構成、設置されている。
もちろんこれらのマイク４、及び／又はスピーカ５、及び／又はブザー５ａ、及び／又はランプ６、及び／又は動画カメラ１５は、室内に別個に設置されてもよい。
リモコン端末１ｂ（図１に示す）は、起動スイッチの他に、切替えスイッチ７の切替え、及び動画カメラの入り切り、ナースコールボタン１ｄ（図１に示す）、及び通報先の選択、インターネットの入り切り、等の種々の操作ができるように構成することができる。【００２５】  ［モード切替について］
図３は、本発明の実施例の回路システム構成図である。
援助コントローラ１は、シーケンサ装置３を介して、モード切替スイッチ７に連結されており、該モード切替スイッチ７により、在宅モード７ａ、及び／又はお出かけモード７ｂ、及び／又は行動管理モード７ｃとに切り替えられる。【００２６】  お出かけモード７ｂの一例では、お出かけメッセージ８ｂにより「行ってらっしゃい、気をつけて」等の音声が流れる。
在宅モード７ａの場合は、同様にモードメッセージ８の在宅メッセージ８ａにより「おかえりなさい、監視システムを起動します」等の音声が流れるようになっている。
在宅モード７ａと、お出かけモード７ｂと、行動管理モード７ｃのいずれにおいても、次に自動通報システム９に連結され、自動通報システム９は、ＰＤＡ及び／又はスマートホーン・携帯電話１０、及び／又は固定電話１０ａ、及び／又はパソコン１１、及び／又はタブレットに接続されており、単数または複数の通報先に異常条件が揃うと、自動的に、電話回線、又は電子メール回線、又はインターネット回線等により、通報される機能が搭載されている。
又、スピーカ５は、援助コントローラ１、及び／又はＰＤＡ及び／又はスマートホーン・携帯電話１０、及び／又は固定電話１０ａ、及び／又はパソコン１１、及び／又はタブレットの内蔵スピーカでもよい。
又、援助コントローラ１には充電式バッテリが内蔵されているため、停電時においても機能が停止されない機能を備えており、携帯移動も可能である。【００２７】  図３に示す如く、切替スイッチ７が、在宅モード７ａに切り替えられると、屋内監視システムとなる。
監視センサ２からの信号、及び／又は動画カメラ１５からの信号は、シーケンサ装置３により、設定時間内に独居者等Ａの動きが感知されると、リセットとなり、再度、カウントが開始される。
設定時間は最小３分〜最大２４時間の範囲で選択可能である。設定時間は、シーケンサ装置３に設けられた調整器により、簡単にセットできる。【００２８】  設定時間内に、動きが感知されない時は、まず独居者等Ａにスピーカ５により警報が発せられる。又、耳の不自由な人には、ランプ６のあらかじめ決めた光の点滅で知らせることができる。
それに気付き、動きがあった時又は、ナースコールボタン１ｄで解除が押された時は、リセットされる。【００２９】  もし、それらの信号がない場合は、まず異常状態と判断し、自動通報システム９に異常信号が伝達される。
又独居者等Ａが、マイク４で異常状態の通報を意味するボイスパターン、例えば「助けて！」「ヘルプヘルプ！」等を発信した時も同様に、異常状態と判断し、
シーケンサ装置３より、異常信号が自動通報システム９に発信され、自動通報システム９より独居者等ＡのＰＤＡ及び／又はスマートホーン・携帯電話１０、及び／又は固定電話１０ａ、及び／又はパソコン１１に伝達され、自動通報システム内のオートダイヤラー機能により、異常通報通信１２が自動発信され、単数又は複数の通報先に通報される。
通報先は、家族であったり、介護ヘルパーであったり、病院や１１９番、警察等を自由に選択することができる。【００３０】  次に、図３の切替スイッチ７が、お出かけモード７ｂに切替えられると、屋内警備監視システムとなる。
お出かけモード７ｂにおいては、自宅内の監視センサ２からの信号、及び／又は動画カメラ１５からの信号は、シーケンサ装置３により、設定時間内に侵入者Ｃの動きが感知されると、異常信号１２が自動通報システム９に発信され、自動通報システム９よりブザー５ａより警報が発せられ、独居者等ＡのＰＤＡ及び／又はスマートホーン・携帯電話１０、及び／又は固定電話１０ａ、及び／又はパソコン１１、及び／又はタブレットに伝達されると共に、自動通報システム９内のオートダイヤラー機能により、異常通報通信１２が自動発信され、単数又は複数の通報先に通報される。【００３１】  通報先は、警察であったり、１１９番であったり、家族であったり、介護ヘルパーであったり、病院等を自由に選択することができる。【００３２】  設定時間内に、動きが感知されない時は、侵入者Ｃがいないと判断され、一定時間にリセットされ、それが繰り返される。【００３３】  設定時間は最小３分〜最大２４時間の範囲で選択可能である。設定時間は、シーケンサ装置３に設けられた調整器により、簡単にセットできる。【００３４】  次に、行動管理モードを選択すると行動管理機能が、作動する。
監視センサ２、特に床マットセンサ２ｈは、移動する室内の各所に配置されており、例えばＰＬＣ回路により、それらの信号が伝達され生活による移動パターンを記録する情報記憶装置３ａが、援助コントローラ１内に収納され、シーケンサ装置３と連結されている。
各個人の室内外での標準行動パターンと、その都度記録された行動パターンが、定期的に比較分析し、判断回路より異常が診断されない時は、定期的にリセットされる。【００３５】  又、援助コントローラ１、又はコントローラ台座２１から人形型・ロボット型ユニット２２、又は  腕時計型ユニット２３、又はペンダント型ユニット２４、又は寝具マット型ユニット２５が一定の距離離れると、異常状態と診断される場合や、
ＧＰＳ信号により、通常と異なる位置が感知されると、前述の異常信号１２が自動通報システム９に発信され、自動通報システム９よりブザー５ａより警報が発せられ、独居者等ＡのＰＤＡ及び／又はスマートホーン・携帯電話１０、及び／又は固定電話１０ａ、及び／又はパソコン１１に伝達されると共に、自動通報システム９内のオートダイヤラー機能により、異常通報通信１２が自動発信され、単数又は複数の通報先に通報される。
本実施例では、在宅モード７ａと、お出かけモード７ｂと、行動管理モード７ｃとのいずれにおいても、電話回線でなく、電子メール回線、又はインターネット回線１４を介して、単数又は複数の通報先のパソコン、及び／又はスマートホーン・携帯電話、又は固定電話に自動通報させることもできる。【００３６】  また、スマートホーン・携帯電話１０に設けられた動画カメラ１５、及び／又は援助コントローラ１に設けられた動画カメラ１５、又は室内のいずれかの位置に設置された動画カメラ１７より動画通信を自動送信し、異常通報通信１２とすることもできる。
このときに、独居者等Ａと、通報先との双方向通信で、テレビ電話として異常通報通信１２とすることもできる。【００３７】  このように、現実的に必要な簡潔な機器構成で、十分目的が達成できることに気付いたものである。
そのため、設置が極めて簡単で、すぐに完了し、機器自体の価格も、工事も極めて安価で設置できる極めて実用的な監視警備連絡装置を提供するものである。前述のように、監視センサ２は、夫々単独に取付けられ、配線は簡単に設置できる。【００３８】  援助コントローラ１は、寝室等の主たる居室に、単独で置くことができ、それにＰＤＡ及び／又はスマートホーン・携帯電話１０、及び／又は固定電話１０ａ、及び／又はパソコン１１の結線を接続するだけで、監視警備連絡装置が構成できる。
又、ＰＤＡ及び／又はスマートフォン・携帯電話１０本体を接続しなくとも、ＣＩＭカードを差し込むだけでもよい。
【実施例２】
【００３９】  実施例２は、さらに高度な機能を持たせたもので、第４図に示す如く援助コントローラ１の構成は、人形型・ロボット型ユニット２２等で構成されている。
図１及び図２のフレーム型に対し、図４、図５に示す実施例は、援助コントローラ１が、コントローラ台座２１と、人形型・ロボット型ユニット２２により構成されている。【００４０】  コントローラ台座２１は、図２に示す前述のすべてのセンサ、機器等を設けており、加えて充電機能２１ａを有している。【００４１】  人形型・ロボット型ユニット２２は、抱き式の形態となっており、通常は、コントローラ台座２１の上に置かれ、接触式、または非接触式の連結が保たれ、充電が為される。【００４２】  又、人形型・ロボット型ユニット２２は、コントローラ台座２１に有するナースコールボタン１ｄや、リモコン端末１ｂ、又マイク４、及び／又はスピーカ５、及び／又はブザー５ａ、及び／又はランプ６、及び／又は動画カメラ１５も必要に応じ、内蔵等により構成、設置されている。もちろん、人形型・ロボット型ユニット２２自体に設けても良い。
人形型・ロボット型ユニット２２は、かわいい人形型、又はペット型、またはロボット型の意匠が用いられ、独居者等Ａが、抱っこ出来る形態となっている。
人形型・ロボット型ユニット２２には、学習機能のある人工知能回路（ＡＩ）が搭載されており、対話でき、学習機能により、独居者等Ａと対話し、安らぎを与えられるよう構成され、孤独感の解消に寄与している。【００４３】  援助コントローラ１と各機器間の送受信は、無線回線であるＰＤＡ及び／又はスマートホーン・携帯電話１０の回線や、可視光通信機能を有する灯具等、又はブルートゥースや、ＷＩＦＩ等前述の信号が用いられる。【００４４】  次に監視センサ２の人形型・ロボット型センサーユニット２２、腕時計型２３、ペンダント型２４、寝具マット型２５等が有する重要な機能は、前記の機能のほか、健康情報センサーとしての機能も有している。
人体に触れることで、例えば、脈拍、血圧、体温、呼吸数、血中酸素濃度、心電図等の健康情報センサの機能を有しており、入居者等Ａの体調に異常値が検知された時は、援助コントローラー１に信号を発し、警報システムに連動される。
人形型・ロボット型ユニット２２が有する重要な機能は、前記の機能のほか、健康情報センサとしての機能も有している。
人体に触れることで、例えば、脈拍、血圧、体温、呼吸数、血中酸素濃度、心電図等の健康情報センサの機能を有しており、独居者等Ａの体調に異常値が検知された時は、援助コントローラ１に信号を発し、警報システムに連動される。
５健康情報センサは、ウエラブル端末である腕時計型ユニット２３、及び／又はペンダント型ユニット２４、及び／又は寝具マット型ユニット２５に設けることもできる。【００４５】  これらの人形型・ロボット型ユニット２２、及び／又は腕時計型ユニット２３、及び／又はペンダント型ユニット２４、及び／又は寝具マット型ユニットセンサユニット２５にはＩＤ番号を付与することにより、どの独居者等Ａからの信号かを判別することにより何人もの位置確認や情報確認が選択できる。【００４６】  又、可視光通信機能を有する灯具２６である冷陰極管（以下ＣＣＦＬという）、及び／又は可視光通信機能を有するＬＥＤ、及び／又は可視光通信機能を有する有機ＥＬ、及び／又は可視光通信機能を有する無機ＥＬ、及び／又は可視光通信と組合せた画像等のイメージセンサー、及び／又はレーザーセンサ、及び／又はレーダセンサ、及び／又はマイクロ波センサ、及び／又は別に設置された感知センサ２７、又は火災警報器２ｅ、又は煙感知器２ｆ、又はＩＧＲ等の漏電ブレーカ２ｇの異常信号、又は床マットセンサ２ｈ、又はドア開閉センサ２ｉなどの監視センサ、及び／又は人工衛星を活用したＧＰＳ位置確認信号、及び／又はこれらの何れかの組み合わせである感知センサ２を設けたことを特徴とする。【００４７】［可視光通信］とは、人の目に見える可視光線帯域の電磁波を用いた無線通信の一種である。将来的に、全ての照明が、高速変調可能なＣＣＦＬ灯具、又はＬＥＤ灯具や有機ＥＬ、又は無機ＥＬに置き換わることで「照明が通信インフラになる」、という社会応用面からの点で注目され実用化がなされている。（このように照明を使う可視光通信は、特に照明光通信とも呼ばれる）
灯具２６は、通常天井や、壁に取付けられ部屋ごとに設けられるので、３６０度の監視が可能となる。【００４８】  又可視光通信機能を有する灯具２６である冷陰極管（以下ＣＣＦＬという）、及び／又は可視光通信機能を有するＬＥＤ、及び／又は可視光通信機能を有する有機ＥＬ、及び／又は可視光通信機能を有する無機ＥＬ、及び／又は可視光通信と組合せた画像等のイメージセンサー、及び／又はレーザーセンサ、及び／又はレーダセンサ、及び／又は灯具２６に、別に設置された別置感知センサ２７、又は火災警報器２ｅ、又は煙感知器２ｆ、又はＩＧＲ等の漏電ブレーカ２ｇの異常信号、又は床マットセンサ２ｈ、又はドア開閉センサ２ｉなどの監視センサ、及び／又は人工衛星を活用したＧＰＳ位置確認信号、及び／又はこれらの何れかの組み合わせである感知センサ２にはＩＤ番号を付与することにより、どの感知センサ機能付灯具２６からの信号を判別することにより位置確認や情報確認ができる。
情報としては、ＩＤ番号に応じ、例えば商店のコーナー毎の特売情報やイベント情報などを適時、受取ることが出来る。【００４９】  又、監視センサ２の別の実施例として、最近発達してきた人体通信（Ｂｏｄｙ  Ａｒｅａ  Ｎｅｔｗｏｒｋ）システムで行っても良い。【００５０】  人体通信は、人体を通信の一部として利用するもので、手で触れるという動作をコンピュータで信号としてとらえ行動パターン分析を行う方式で、ユビキタスな監視センサとして用いることができる。
【産業上の利用可能性】
【００５１】  本発明の活用例としては、以上説明したように、現在大きな問題となっている独居者等Ａの異常や、外出時の自宅内を監視し、行動管理システムで、条件がそろうと、自動的に連絡することができるので、独居者等Ａの安全、健康等を管理でき、また、侵入者による盗難等を警備できる、極めて安価な機器と設置工事で短時間に多数設置可能となるため、独居者等Ａの問題を解決できると共に、新商品による産業の発展にも貢献できる極めて実用的な発明である。
【符号の説明】
【００５２】Ａ      独居者等
Ｂ      ベッド
Ｃ      侵入者
１      援助コントローラ
１ａ    液晶モニタ
１ｂ    リモコン端末
１ｃ    リモコン受信センサ
１ｄ    ナースコールボタン
１ｅ    起動スイッチ
１ｐ    写真・絵画
２      感知センサ
２ａ    人感センサ
２ｂ    光センサ
２ｃ    赤外線センサ
２ｄ    加速度計センサ
２ｅ    火災警報器
２ｆ    煙感知器
２ｇ    漏電ブレーカ
２ｈ    床マットセンサ
３      シーケンサ装置
３ａ    情報記憶装置
４      マイク
５      スピーカ
６      ランプ
７      モード切替スイッチ
７ａ    在宅モード
７ｂ    お出かけモード
７ｃ    行動管理モード
８      モードメッセージ
８ａ    在宅メッセージ
８ｂ    お出かけメッセージ
８ｃ    行動管理メッセージ
９      自動通報システム
１０    スマートホーン・携帯電話
１０ａ  固定電話
１１    パソコン
１２    異常通報通信
１３    インターネット回線
１５    動画カメラ
２１    コントローラ台座
２１ａ  充電機能
２２    人形型・ロボット型ユニット
２３    腕時計型ユニット
２４    ペンダント型ユニット
２５    寝具マット型ユニット
２６    灯具等
２７    別置監視センサ
【図１】
2017016609.tif 000003
【図２】
2017016609.tif 000004
【図３】
2017016609.tif 000005
【図４】
2017016609.tif 000006
【図５】
2017016609.tif 000007